【手続補正書】
【提出日】平成17年11月21日(2005.11.21)
【手続補正１】
【補正対象書類名】明細書
【補正対象項目名】特許請求の範囲
【補正方法】変更
【補正の内容】
【特許請求の範囲】
【請求項１】  分散されて配置されている個々の情報の中から必要な情報を取得して再構成するようにした伝送方法において、
上記分散された情報の中から必要な情報を取得するための識別子として個々の情報に固有の情報識別子を使い、
上記各情報に固有の情報識別子と上記情報識別子に対応する情報のアクセス方法を示すアクセス方法識別子との関係を表すリストを作成し、
上記情報識別子により必要な情報が指定されたら、上記リストに従って上記必要な情報を取得するためのアクセス方法を探索し、
探索されたアクセス方法で上記必要な情報を取得する
ようにした伝送方法。
【請求項２】  分散されて配置されている個々の情報の中から必要な情報を取得して再構成するようにした伝送システムにおいて、
複数のアクセス方法で情報を提供する情報送信手段と、
各情報に固有の情報識別子と上記情報識別子に対応する情報のアクセス方法を示すアクセス方法識別子との関係を表す示すリストに従って、指定された情報識別子に対応する情報へのアクセス方法を同定する名前解決手段と、
上記情報識別子により必要な情報が指定されたら、上記名前解決手段のリストに従って上記必要な情報を取得するためのアクセス方法を探索し、探索されたアクス方法で上記必要な情報を取得する情報受信手段と
を備えるようにした伝送システム。
【請求項３】  提供する情報を蓄積する情報蓄積手段と、
上記蓄積手段の情報を複数のアクセス方法で提供する情報提供手段と、
各情報に固有の情報識別子と上記情報識別子に対応する情報のアクセス方法とを示すアクセス方法識別子との関係を表すリストを作成するリスト作成手段と、
上記リストを送信するリスト送信手段と
からなる送信装置。
【請求項４】  上記複数のアクセス方法は、同報ネットワークによるアクセス又は双方向ネットワークによるアクセスを含む請求項３に記載の送信装置。
【請求項５】  上記リスト送信手段は、各情報に固有の情報識別子と上記情報識別子に対応する情報のアクセス方法識別子との関係を示すリストを、上記同報ネットワーク又は上記双方向ネットワークとにより送信するようにした請求項４に記載の送信装置。
【請求項６】  上記リスト送信手段は、ＭＰＥＧ２セクションによりリストを送信するようにした請求項５に記載の送信装置。
【請求項７】  上記情報識別子は、情報の物理的な位置には依存せず、上記情報に対して一意な名前である請求項３に記載の送信装置。
【請求項８】  上記アクセス方法識別子は、アクセス方法が同報ネットワークであるときには、ストリームデータの送出に関連する識別子である請求項３に記載の送信装置。
【請求項９】  上記アクセス方法識別子は、アクセス方法が同報ネットワークであるときには、静的なデータの送出に関連する識別子である請求項３に記載の送信装置。
【請求項１０】  上記アクセス方法識別子は、アクセス方法が同報ネットワークであり、上記同報ネットワークがディジタル放送網であるときには、イベント識別子及びサービス識別子である請求項３に記載の送信装置。
【請求項１１】  上記アクセス方法識別子は、アクセス方法が双方向ネットワークであるときには、情報の物理的な位置を示す名前である請求項３に記載の送信装置。
【請求項１２】  上記アクセス方法識別子は、アクセス方法が双方向ネットワークであり、インターネットの通信網であるときには、ウェブサイトへのＵＲＬである請求項３に記載の送信装置。
【請求項１３】  上記アクセス方法識別子は、アクセス方法がデータベースの通信網であるときには、データベースの照会言語である請求項３に記載の送信装置。
【請求項１４】  複数のアクセス方法で情報を受信する情報受信手段と、
各情報に固有の情報識別子と上記情報識別子に対応する情報のアクセス方法を示すアクセス方法識別子との関係を表すリストを受信するリスト受信手段と、
受信されたリストに従って指定された情報識別子に対応する情報へのアクセス方法を同定する名前解決手段と、
上記情報識別子により必要な情報が指定されたら、上記リストに従って上記必要な情報を取得するためのアクセス方法を探索し、探索されたアクセス方法に基づいて上記必要な情報を取得するデータ取得手段と
を備えるようにした受信装置。
【請求項１５】  上記複数のアクセス方法は、同報ネットワークによるアクセス又は双方向ネットワークによるアクセスとを含む請求項１４に記載の受信装置。
【請求項１６】  上記リスト受信手段は、各情報に固有の情報識別子と上記情報識別子に対応する情報のアクセス方法識別子との関係を示すリストを、上記同報ネットワーク又は上記双方向ネットワークとにより受信するものである請求項１５に記載の受信装置。
【請求項１７】  上記リスト受信手段は、ＭＰＥＧ２セクションにより送られてきたリストを受信するようにした請求項１６に記載の受信装置。
【請求項１８】  上記情報識別子は、情報の物理的な位置には依存せず、上記情報に対して一意な名前である請求項１４に記載の受信装置。
【請求項１９】  上記アクセス方法識別子は、アクセス方法が同報ネットワークであるときには、ストリームデータの送出に関連する識別子である請求項１４に記載の受信装置。
【請求項２０】  上記アクセス方法識別子は、アクセス方法が同報ネットワークであるときには、静的なデータの送出に関連する識別子である請求項１４に記載の受信装置。
【請求項２１】  上記アクセス方法識別子は、アクセス方法が同報ネットワークであり、上記同報ネットワークがディジタル放送の放送網であるときには、イベント識別子及びサービス識別子である請求項１４に記載の受信装置。
【請求項２２】  上記アクセス方法識別子は、アクセス方法が双方向ネットワークであるときには、情報の物理的な位置を示す名前である請求項１４に記載の受信装置。
【請求項２３】  上記アクセス方法識別子は、アクセス方法が双方向ネットワークであり、インターネットの通信網であるときには、ウェブサイトへのＵＲＬである請求項１４に記載の受信装置。
【請求項２４】  上記アクセス方法識別子は、アクセス方法がデータベースの通信網であるときには、データベースの照会言語である請求項１４に記載の受信装置。
【請求項２５】  上記名前解決手段は、送られてきた各情報に固有の情報識別子と上記情報識別子に対応する情報のアクセス方法識別子との関係を示すリストが変更されていたことを検出して、自動的に更新する請求項１４に記載の受信装置。
【請求項２６】  更に、複数のアクセス方法の中から、アクセス可能なものを記憶するアクセス方法記憶手段を備え、
上記情報識別子により必要な情報が指定されたら、上記リストに従って上記必要な情報を取得するためのアクセス方法を探索し、
上記アクセス方法記憶手段により，探索されたアクセス方法でアクセス可能なものがあるか否かを判断して、上記必要な情報を取得するようにした請求項１４に記載の受信装置。
【手続補正２】
【補正対象書類名】明細書
【補正対象項目名】００１４
【補正方法】変更
【補正の内容】
【００１４】
請求項２の発明は、分散されて配置されている個々の情報の中から必要な情報を取得して再構成するようにした伝送システムにおいて、
複数のアクセス方法で情報を提供する情報送信手段と、
各情報に固有の情報識別子と情報識別子に対応する情報のアクセス方法を示すアクセス方法識別子との関係を表す示すリストに従って、指定された情報識別子に対応する情報へのアクセス方法を同定する名前解決手段と、
情報識別子により必要な情報が指定されたら、名前解決手段のリストに従って必要な情報を取得するためのアクセス方法を探索し、探索されたアクス方法で必要な情報を取得する情報受信手段と
を備えるようにした伝送システムである。
【手続補正３】
【補正対象書類名】明細書
【補正対象項目名】００１５
【補正方法】変更
【補正の内容】
【００１５】
請求項３の発明は、提供する情報を蓄積する情報蓄積手段と、
蓄積手段の情報を複数のアクセス方法で提供する情報提供手段と、
各情報に固有の情報識別子と情報識別子に対応する情報のアクセス方法とを示すアクセス方法識別子との関係を表すリストを作成するリスト作成手段と、
リストを送信するリスト送信手段と
からなる送信装置である。
【手続補正４】
【補正対象書類名】明細書
【補正対象項目名】００１６
【補正方法】変更
【補正の内容】
【００１６】
請求項１４の発明は、複数のアクセス方法で情報を受信する情報受信手段と、
各情報に固有の情報識別子と情報識別子に対応する情報のアクセス方法を示すアクセス方法識別子との関係を表すリストを受信するリスト受信手段と、
受信されたリストに従って指定された情報識別子に対応する情報へのアクセス方法を同定する名前解決手段と、
情報識別子により必要な情報が指定されたら、リストに従って必要な情報を取得するためのアクセス方法を探索し、探索されたアクセス方法に基づいて必要な情報を取得するデータ取得手段と
を備えるようにした受信装置である。